(57)【要約】【課題】発呼時に、留守番電話サーバに留守録音データがあることに気付かずにその相手に電話をかけてしまうことを防止する。【解決手段】携帯電話装置は、発呼時に、発呼先相手からの不在着信の有無を判断し、有る場合にはそのことを表示する。ユーザが継続を選択した場合には、留守番電話サーバに対して発呼先相手から自分宛ての留守録音データの有無を問い合わせる（ステップＳ７−２〜ステップＳ７−３）。留守番電話サーバは、送信されてきた発呼先電話番号及び発信者電話番号を自装置のデータベースと照合し（ステップＳ７−３）、一致するものが有れば、「有」を携帯電話装置へ通知する（ステップＳ７−４）。ユーザが再生指示を入力すると、携帯電話装置は留守番電話サーバから留守録音データを受信する（ステップＳ７−５）。その後、直接相手と通話する必要があると判断した場合（ステップＳ７−７でＹｅｓ）には、発呼処理を継続する（ステップＳ７−８）。【選択図】図１１
2007181038.tif 000002
【特許請求の範囲】
【請求項１】
発呼先相手を指定する指定手段と、
前記指定された発呼先相手へ発呼する発呼手段と、
留守番電話サーバに前記指定された発呼先相手からの留守録音データが記憶されている場合は前記発呼手段による発呼を中断し、記憶されていない場合は前記発呼手段による発呼を実行する制御手段とを備えたことを特徴とする電話端末装置。
【請求項２】
前記留守番電話サーバに留守録音データが記憶されていることをユーザに通知する通知手段をさらに備え、
前記制御手段は、前記留守番電話サーバに前記指定された発呼先相手からの留守録音データが記憶されている場合は前記通知手段によって通知させることを特徴とする請求項１に記載の電話端末装置。
【請求項３】
前記留守番電話サーバから留守録音データを取得する取得手段をさらに備え、
前記制御手段は、前記留守番電話サーバに前記指定された発呼先相手からの留守録音データが記憶されている場合は、前記取得手段に該留守録音データを取得させることを特徴とする請求項１または請求項２に記載の電話端末装置。
【請求項４】
前記留守番電話サーバから、留守録音データが記憶されたことを示す情報と該留守録音データを記憶した発呼元相手を示す情報とを含む留守録音情報を受信する受信手段と、
前記受信した留守録音情報を記憶する留守録音情報記憶手段とをさらに備え、
前記制御手段は、前記留守録音情報記憶手段に記憶された情報を基に、前記指定された発呼先相手からの留守録音データが前記留守番電話サーバに記憶されているか判断することを特徴とする請求項１から請求項３のいずれかに記載の電話端末装置。
【請求項５】
着信を検出する着信検出手段と、
前記検出された着信の発呼元相手を検出する発呼元検出手段と、
前記検出された着信に応答して留守録音データを受信する留守録音データ受信手段と、
前記検出された発呼元を示す情報と前記受信された留守録音データとを対応づけて記憶する留守録音データ記憶手段と、
発呼先相手を指定する指定手段と、
前記指定された発呼先相手へ発呼する発呼手段と、
前記留守録音データ記憶手段に前記指定された発呼先相手からの留守録音データが記憶されている場合は前記発呼手段による発呼を中断し、記憶されていない場合は前記発呼手段による発呼を実行する制御手段とを備えたことを特徴とする電話端末装置。
【請求項６】
着信を検出する着信検出手段と、
前記検出された着信に応答する応答手段と、
前記検出された着信の発呼元相手を検出する発呼元検出手段と、
前記検出された着信の発呼元相手を示す情報及び前記着信に応答したか否かを示す情報を含む履歴情報を記憶する着信履歴情報記憶手段と、
発呼先相手を指定する指定手段と、
前記指定された発呼先相手へ発呼する発呼手段と、
前記着信履歴情報記憶手段に前記指定された発呼先相手からの着信に応答しなかったことを示す情報が記憶されている場合は前記発呼手段による発呼を中断し、記憶されていない場合は前記発呼手段による発呼を実行する制御手段とを備えたことを特徴とする電話端末装置。
【請求項７】
発呼再開指示を入力する指示入力手段をさらに備え、
前記制御手段は、前記発呼手段による発呼を中断した後、前記指示入力手段により入力された発呼再開指示に基づいて前記発呼手段による発呼を再開することを特徴とする請求項１ないし請求項６のいずれかに記載の電話端末装置。
【請求項８】
着信を検出する着信検出手段と、
前記検出された着信の発呼元相手を検出する発呼元検出手段と、
前記検出された発呼元相手を示す情報を含む履歴情報を記憶する着信履歴情報記憶手段と、
留守番電話サーバから、留守録音データが記憶されたことを示す情報と該留守録音データを記憶した発呼元相手を示す情報とを含む留守録音情報を受信する受信手段と、
前記着信履歴情報記憶手段に記憶された着信履歴情報と前記受信した留守録音情報とを対応づけて表示する着信履歴表示手段とを備えたことを特徴とする電話端末装置。
【請求項９】
留守録音データが記憶されたことを示す情報と該留守録音データを記憶した発呼元相手を示す情報とを含む留守録音情報を記憶する留守録音情報記憶手段と、
発呼先相手を示す情報を含む電話帳データを記憶する電話帳データ記憶手段と、
前記電話帳データ記憶手段に記憶された発呼先相手の情報と前記留守録音情報記憶手段に記憶された留守録音情報とを対応づけて表示する電話帳データ表示手段とを備えたことを特徴とする電話端末装置。
【請求項１０】
発信側電話端末装置を識別する情報と着信側電話端末装置を識別する情報と前記発信側電話端末装置からの留守録音データとを受信する受信手段と、
前記受信した発信側電話端末装置を識別する情報を発信側識別情報とし、前記受信した着信側電話端末装置を識別する情報を着信側識別情報として、前記受信した留守録音データと対応付けて記憶する留守録音データ記憶手段とを備える留守番電話サーバにおいて、
受信した発信側電話端末装置を識別する情報を着信側識別情報とし、受信した着信側電話端末装置を識別する情報を発信側識別情報とする組み合わせの留守録音データが前記留守録音データ記憶手段に記憶されているか否かを確認する確認手段と、
その確認結果を示す情報を前記発信側電話端末装置へ送信する送信手段とをさらに備えたことを特徴とする留守番電話サーバ。
【発明の詳細な説明】
【技術分野】
【０００１】
本発明は、留守番電話サーバとの通信機能または留守番電話機能を有する電話端末装置及び留守番電話サーバに関する。
【背景技術】
【０００２】
従来の携帯電話端末を含む電話端末装置は、不在着信があった場合（すなわち、着信に応答しなかった場合）、画面上に不在着信があったことを表示する。そして、これを見たユーザがアイコン選択やキー操作等の簡便な操作を行うことにより、不在着信リストを表示することができるようになっている。従ってユーザは、その着信リストから通話したい相手先を選択して発呼処理を行うことが可能となる。
【０００３】
一方、留守番電話サーバに録音された場合も画面上に留守録メッセージが録音されたことが表示されるので、これを見たユーザが簡便な操作を行うことにより留守番電話サーバに接続し、音声ガイダンスに従って録音されたデータを再生することができる。
【０００４】
しかしながら、留守番電話サーバは、通常、シーケンシャル（順番）に最初からデータを再生するのみであり、特定のデータを選択して再生することはできない。また、不在着信との連携が無いため、留守録メッセージが登録されていることに気付かずに、不在着信リストを元に相手と通話し、その後に、留守番電話サーバに録音されている留守録音データにて通話内容と同じ内容の録音を聞くことがある。
【０００５】
また、メールサーバに登録された場合も画面上にメールが登録されたことが表示されるので、これを見たユーザが簡便な操作を行うことによりメールサーバに接続し、登録されたメールを受信してメールメッセージを表示することができる。
【０００６】
しかしながら、従来の電話端末装置では、受信したメールと不在着信との連携が無いため、メールがメールサーバに登録されていることに気付かずに、不在着信リストを元に相手と通話し、その後に、メールサーバに登録されているメールにて通話内容と同じ内容のメッセージを見ることがある。
【０００７】
そこで、このような問題を解決するため、特定の発呼者からの留守録メッセージがあるかないかを表示し、また、特定の発呼者からの留守録メッセージのみを再生することができる留守番電話装置が提案されている（例えば、特許文献１参照）。この留守番電話装置は、
特定の発呼者の電話番号をワンタッチダイアル部（ワンタッチキー）に記憶させ、録音したメッセージの中に特定の発呼者からのメッセージが録音されている場合にワンタッチダイアル部に表示するように構成されている。また、この留守番電話装置は、通話中（オフフック状態）にワンタッチキーを押すとダイヤルを送出する一方、通話中でない状態(オンフック状態）でワンタッチキーを押すと、留守番電話中の該当メッセージを検索し、存在すれば再生し、存在しなければメッセージが無いことをアナウンスして終了するように構成されている。
【０００８】
また、操作者が電話をかけようと相手の電話番号を入力したときに、電子メールサーバに蓄積メールがあるか否かを確認し、蓄積メールがあると確認された場合、入力された電話番号への発信動作を中断し、蓄積メールがあることを示す音声メッセージをスピーカから出力する電子メール受信機能付き携帯電話端末も提案されている（例えば、特許文献２参照）。この電子メール受信機能付き携帯電話端末は、また、電子メールサーバに蓄積メールがないと判断された場合、電子メールサーバから獲得した電子メールの中で、操作者が内容を確認していない電子メール（未読の電子メール）が存在するか否かを判断し、未読の電子メールがない場合には、入力された電話番号に基づき発信動作を行い、一方、未読メールがある場合には、その電子メールの送信元メールアドレスに対応する電話番号を抽出し、前記入力された電話番号と一致するか否かを判断し、一致しない場合は発信動作を行い、一致した時には、その電子メールを構成しているテキストデータが音声波形に合成され、スピーカから出力されるようになっている。
【特許文献１】特開平１０−１０７８９４号公報
【特許文献２】特開２０００−１８１８１８号公報
【発明の開示】
【発明が解決しようとする課題】
【０００９】
上記特許文献１の留守番電話装置では、有限個のワンタッチキーに登録された発呼者のみからの留守録音メッセージの再生しか行えず、また、発呼処理と留守録音メッセージの再生処理との関連性がないため、留守録音メッセージを再生後に、再度、発呼処理を行う必要があり、発呼処理に手間がかかるといった問題があった。さらに、未読の留守録音メッセージがあるにもかかわらず発呼してしまう可能性があるといった問題もあった。
【００１０】
また、不在着信があった場合、通常、発呼側は、不在着信を確認後、留守番電話サーバに留守録メッセージを録音するといった流れが一般的である。すなわち、通常の電話操作からすると、発呼とメールとの関連付けより、発呼と不在着信や留守番電話との関連付けの方が強い。従って、不在着信があり、発呼相手が留守番電話サーバに留守録音データを録音しているにもかかわらずメールを送信していなかった場合、上記特許文献２の電子メール受信機能付き携帯電話端末では、留守録音データが録音されていることを知らずに、これに応答すべく発呼してきた相手側の端末に発呼することとなり、留守録音データが無駄になってしまうといった問題があった。また、上記特許文献２の電子メール受信機能付き携帯電話端末では、メールサーバに発呼相手以外の未取得メールがあった場合でも発呼が中断されてしまうため、発呼相手からメールが無かった場合には、発呼の中断が無駄になってしまうといった問題もあった。さらに、電話番号とメールアドレスの対応付けが登録されていない相手の場合、対応できないといった問題もあった。
【００１１】
本発明はかかる問題点を解決すべく創案されたもので、その目的は、電話発呼時に相手電話番号を元に留守番電話サーバを参照し、対応する留守録音データが存在するか否かを確認することで、留守番電話サーバに留守録音データがあることに気付かずにその相手に電話をかけてしまうことを防止し得る電話端末装置及び留守番電話サーバを提供することにある。
【課題を解決するための手段】
【００１２】
上記課題を解決するため、本発明の電話端末装置は、発呼先相手を指定する指定手段と、前記指定された発呼先相手へ発呼する発呼手段と、留守番電話サーバに前記指定された発呼先相手からの留守録音データが記憶されている場合は前記発呼手段による発呼を中断し、記憶されていない場合は前記発呼手段による発呼を実行する制御手段とを備えたことを特徴とする。
【００１３】
このような特徴を有する本発明によれば、発呼先相手からの留守録音データが記憶されている場合にのみ発呼を中断できるので、留守番電話サーバに留守録音データがあることに気付かずに、その相手へ発呼してしまうことを確実に防止することができる。また、発呼の無駄な中断も発生しない。
【００１４】
この場合、前記留守番電話サーバに留守録音データが記憶されていることをユーザに通知する通知手段をさらに備え、前記制御手段は、前記留守番電話サーバに前記指定された発呼先相手からの留守録音データが記憶されている場合は前記通知手段によって通知させるように構成してもよい。これにより、ユーザは、発呼の中断が、その発呼相手からの留守録音データが留守番電話サーバに存在することによるものであることを認識できるので、すぐに留守録音データを再生することができる。
【００１５】
また、前記留守番電話サーバから留守録音データを取得する取得手段をさらに備え、前記制御手段は、前記留守番電話サーバに前記指定された発呼先相手からの留守録音データが記憶されている場合は、前記取得手段に該留守録音データを取得させるように構成してもよい。すなわち、留守番電話サーバに留守録音データが記憶されている場合には、自動的に留守録音データを取得して音声再生させることができるので、ユーザは発呼相手からの留守録音データを確実に聞くことができる。
【００１６】
また、本発明の電話端末装置は、前記留守番電話サーバから、留守録音データが記憶されたことを示す情報と該留守録音データを記憶した発呼元相手を示す情報とを含む留守録音情報を受信する受信手段と、前記受信した留守録音情報を記憶する留守録音情報記憶手段とをさらに備え、前記制御手段は、前記留守録音情報記憶手段に記憶された情報を基に、前記指定された発呼先相手からの留守録音データが前記留守番電話サーバに記憶されているか判断するように構成してもよい。
【００１７】
このような構成とすると、任意の相手からの留守録音データが留守番電話サーバに記憶されていることを示す情報を、予め留守番電話サーバから受信して記憶しておくので、相手先を指定して発呼したとき、その発呼先相手からの留守録音データがあるか否かを留守番電話サーバに接続することなく確認することができるため、その後の処理、すなわち留守番電話サーバに接続して留守録音データの再生を行うか、そのまま発呼処理を継続するかの判断とその処理とを迅速に行うことができる。
【００１８】
また、本発明の電話端末装置は、着信を検出する着信検出手段と、前記検出された着信の発呼元相手を検出する発呼元検出手段と、前記検出された着信に応答して留守録音データを受信する留守録音データ受信手段と、前記検出された発呼元を示す情報と前記受信された留守録音データとを対応づけて記憶する留守録音データ記憶手段と、発呼先相手を指定する指定手段と、前記指定された発呼先相手へ発呼する発呼手段と、前記留守録音データ記憶手段に前記指定された発呼先相手からの留守録音データが記憶されている場合は前記発呼手段による発呼を中断し、記憶されていない場合は前記発呼手段による発呼を実行する制御手段とを備えたことを特徴とする。
【００１９】
このような特徴を有する本発明によれば、電話端末装置の留守録機能を利用して、任意の相手からの留守録音データを予め記憶しておくので、相手先を指定して発呼したとき、その発呼先相手からの留守録音データがあるか否かを自身の電話端末装置内で確認することができるため、その後の処理、すなわち発呼を継続するか否かの処理を迅速に行うことができる。
【００２０】
また、本発明の電話端末装置は、着信を検出する着信検出手段と、前記検出された着信に応答する応答手段と、前記検出された着信の発呼元相手を検出する発呼元検出手段と、前記検出された着信の発呼元相手を示す情報及び前記着信に応答したか否かを示す情報を含む履歴情報を記憶する着信履歴情報記憶手段と、発呼先相手を指定する指定手段と、前記指定された発呼先相手へ発呼する発呼手段と、前記着信履歴情報記憶手段に前記指定された発呼先相手からの着信に応答しなかったことを示す情報が記憶されている場合は前記発呼手段による発呼を中断し、記憶されていない場合は前記発呼手段による発呼を実行する制御手段とを備えたことを特徴とする。
【００２１】
このような特徴を有する本発明によれば、発呼先相手を指定して発呼したときに、着信履歴情報記憶手段にその発呼先相手からの不在着信有りの情報が記憶されている場合には、発呼を中断する。すなわち、発呼先相手からの不在着信がある場合には、その発呼先相手からの留守録音データがすでに留守番電話サーバに記憶されている場合があり、留守録音データが記憶されている場合には、その発呼が無駄になる可能性があるからである。従って、ユーザは、発呼を継続する場合には、留守番電話サーバに対して発呼先相手から自分宛ての留守録音データが記憶されていないかを問い合わせ、記憶されている場合は留守録音データの再生を行い、記憶されていない場合に発呼処理を継続すればよい。これにより、不要な発呼を防止することができる。
【００２２】
この場合、発呼再開指示を入力する指示入力手段をさらに備え、前記制御手段は、前記発呼手段による発呼を中断した後、前記指示入力手段により入力された発呼再開指示に基づいて前記発呼手段による発呼を再開するように構成してもよい。これにより、ユーザからの発呼指示に従って、中断していた発呼を再生することができる。また、中断した発呼を再開する場合に、最初の番号入力等から再度行う必要がなく、簡単な操作で発呼を再開することができる。
【００２３】
また、本発明の電話端末装置は、着信を検出する着信検出手段と、前記検出された着信の発呼元相手を検出する発呼元検出手段と、前記検出された発呼元相手を示す情報を含む履歴情報を記憶する着信履歴情報記憶手段と、留守番電話サーバから、留守録音データが記憶されたことを示す情報と該留守録音データを記憶した発呼元相手を示す情報とを含む留守録音情報を受信する受信手段と、前記着信履歴情報記憶手段に記憶された着信履歴情報と前記受信した留守録音情報とを対応づけて表示する着信履歴表示手段とを備えたことを特徴とする。
【００２４】
このような特徴を有する本発明によれば、着信履歴情報を表示するとき、留守番電話サーバに留守録音データが記憶されているか否かを示す情報を各着信履歴情報と対応付けて表示することができる。従って、ユーザは、相手先を指定して発呼する前に、この着信履歴情報を見ることで、その発呼先相手からの不在着信と留守録音データとがあるか否かを確認できるので、留守録音データが記憶されている場合はその留守録音データの再生を行い、記憶されていない場合に発呼処理を行えばよい。これにより、不要な発呼を防止することができる。
【００２５】
また、本発明の電話端末装置は、留守録音データが記憶されたことを示す情報と該留守録音データを記憶した発呼元相手を示す情報とを含む留守録音情報を記憶する留守録音情報記憶手段と、発呼先相手を示す情報を含む電話帳データを記憶する電話帳データ記憶手段と、前記電話帳データ記憶手段に記憶された発呼先相手の情報と前記留守録音情報記憶手段に記憶された留守録音情報とを対応づけて表示する電話帳データ表示手段とを備えたことを特徴とする。
【００２６】
このような特徴を有する本発明によれば、電話帳データを表示するとき、留守録音データが記憶されているか否かを示す情報も各電話帳データに対応付けて表示することができる。従って、従って、ユーザは、電話帳データを利用して相手先を指定し発呼する場合に、この電話帳データを見ることで、その発呼先相手からの留守録音データがあるか否かを確認できるので、留守録音データが記憶されている場合はその留守録音データの再生を行い、記憶されていない場合に発呼処理を行えばよい。これにより、不要な発呼を防止することができる。
【００２７】
また、本発明の留守番電話サーバは、発信側電話端末装置を識別する情報と着信側電話端末装置を識別する情報と前記発信側電話端末装置からの留守録音データとを受信する受信手段と、前記受信した発信側電話端末装置を識別する情報を発信側識別情報とし、前記受信した着信側電話端末装置を識別する情報を着信側識別情報として、前記受信した留守録音データと対応付けて記憶する留守録音データ記憶手段とを備える留守番電話サーバにおいて、受信した発信側電話端末装置を識別する情報を着信側識別情報とし、受信した着信側電話端末装置を識別する情報を発信側識別情報とする組み合わせの留守録音データが前記留守録音データ記憶手段に記憶されているか否かを確認する確認手段と、その確認結果を示す情報を前記発信側電話端末装置へ送信する送信手段とをさらに備えたことを特徴とする。
【００２８】
このような特徴を有する本発明によれば、留守番電話サーバは、発信側電話端末装置からの問い合わせ、すなわち、当該発信側電話端末装置が発信（発呼）した着信側電話端末装置から当該発信側電話端末装置に対する留守録音データが有るか無いかの問い合わせに対し、受信した発信側電話端末装置を識別する情報を着信側識別情報とし、受信した着信側電話端末装置を識別する情報を発信側識別情報とする組み合わせの留守録音データが留守録音データ記憶手段に記憶されているか否かを確認し、その確認結果を示す情報を発信側電話端末装置へ送信する。これにより、発信側電話端末装置では、発呼時に、その発呼先相手からの留守録音データがあるか否かを確認できるので、留守録音データが記憶されている場合はその留守録音データの再生を行い、記憶されていない場合にはその発呼処理を継続すればよい。これにより、不要な発呼を防止することができる。
【発明の効果】
【００２９】
従来は、不在時に電話がかかり、相手が留守番電話サーバに録音しても、発信者番号と留守電データの連係がなかったため、誰からの留守電データが留守番電話サーバに録音されているかが分からず、留守録音データに気付かずに相手に発呼することが多く、無駄なトラフィックや電話代が発生していたが、本発明の電話端末装置によれば、これらのデータに連係を持たせる（つまり、誰からの留守電データが記憶されているかを記憶する）ことにより、発呼時にその発呼先相手からの留守電データを先に再生することで、留守番電話サーバに留守録音データがあることに気付かずに、その相手へ発呼してしまうことを防止することができる。これにより、余分なトラフィック（発呼）を抑制することができる。
【００３０】
また、本発明によれば、任意の相手からの留守録音データが留守番電話サーバに記憶されていることを示す情報を、予め留守番電話サーバから受信して記憶しておくことにより、相手先を指定して発呼したとき、その発呼先相手からの留守録音データがあるか否かを留守番電話サーバに接続することなく確認することができるため、その後の処理、すなわち留守番電話サーバに接続して留守録音データの再生を行うか、そのまま発呼処理を継続するかの判断とその処理とを迅速に行うことができる。
【００３１】
さらに、本発明によれば、電話端末装置の留守録機能を利用して、任意の相手からの留守録音データを予め記憶しておくことにより、相手先を指定して発呼したとき、その発呼先相手からの留守録音データがあるか否かを自身の電話端末装置内で確認することができるため、その後の処理、すなわち留守録音データの再生を行うか、そのまま発呼処理を継続するかの判断とその処理とを迅速に行うことができる。
【発明を実施するための最良の形態】
【００３２】
以下、本発明の実施の形態について、図面を参照して説明する。
【００３３】
図１は、本発明の電話端末装置を携帯電話装置に適用した場合の留守番電話ネットワークシステムの構成例を示している。
【００３４】
このシステム構成自体は一般的なものであり、留守番電話サーバ１００と携帯電話サーバ（携帯電話交換機）２００とが通信回線Ｌ１によって接続されており、各携帯電話装置１，２，・・・は、携帯電話通信網を含む通信ネットワークＮを介して留守番電話サーバ１００や携帯電話サーバ２００と通信可能となっている。留守番電話サーバ１００は、データベース１０１内に、各携帯電話装置１，２用の留守録音データを蓄積するための各記憶領域１０１ａ，１０１ｂ，・・・を備えている。なお、留守番電話サーバ１００と携帯電話サーバ２００とを接続する通信回線Ｌ１は、例えば有線の専用回線やＬＡＮ回線、インターネットや無線ネットワーク等、種々の回線を使用することが可能である。
【００３５】
図２は、本発明の電話端末装置である携帯電話装置の機能ブロック図である。
【００３６】
この携帯電話装置は、本装置全体を制御するＣＰＵ、ＲＯＭ、ＲＡＭ等からなる制御部１１、無線電波による各種信号を送受信するアンテナ１２を備えた送受信部１３、ＬＣＤ等からなる表示部１４、表示部１４上に配置されたタッチパネル１５を制御するタッチパネルコントローラ１６、マイク１７からのアナログ音声入力をデジタル音声データに変換して制御部１１に入力したり、受信したデジタル音声データをアナログ音声に変換してレシーバ１８やスピーカ１９から出力する音声信号処理部２０、ダイヤルキーやボタン等から構成されたキー入力部２１の入力信号を処理して制御部１１に受け渡すキーコントローラ２２、後述する着信履歴や不在着信履歴等の情報を記憶するＥＥＰＲＯＭやフラッシュメモリ等からなるメモリ部２３、画像取り込み用のＣＣＤ等からなるカメラ部２５、カメラ部２５にて取り込んだ画像の保存やバックアップ用として使用される装置本体に着脱可能な補助メモリ２６、などで構成されている。
【００３７】
次に、上記構成からなる携帯電話装置において、任意の相手に発呼を行うときの処理動作の各種実施例について説明する。
【実施例１】
【００３８】
本実施例１は、電話発呼時に留守番電話サーバ１００を確認し、発呼相手からの留守番データが存在していれば再生を行うことにより、不要な電話発信を抑止する実施例である。
【００３９】
図３は携帯電話装置の画面表示例、図４（ａ）は不在着信リストの表示例、図５（ａ）は電話帳リストの表示例、図６は留守番電話サーバ１００のデータベース１０１の構成例、図７（ａ）は不在着信履歴メモリの構成例、図９は電話帳データメモリの構成例、図１０及び図１１は本実施例１の処理動作を示すフローチャートである。
【００４０】
携帯電話装置は、図３に示すように、不在着信を示すメッセージの表示機能及び留守録音データの存在をアイコン等４１で示す表示機能を備えている。また、携帯電話装置は、不在着信リストの表示機能（図４（ａ）参照）を有し、表示したリストの中から選択することにより、目的の相手にワンタッチで発呼する手段を備えている。図４（ａ）に示すように、本実施例１では、不在着信リストとして着信時刻と発信者の電話番号とが表示される。また、携帯電話装置は、電話帳データリストの表示機能（図５（ａ）参照）を有し、表示したリストの中から選択することにより、目的の相手にワンタッチで発呼する手段を備えている。電話帳データメモリは、図９に示すように、電話帳データＩＤ、相手の名前及び電話番号の各項目からなっており、本実施例１では、図５（ａ）に示すように、電話帳データリストとして相手の名前と電話番号とが表示される。
【００４１】
また、留守番電話サーバ１００のデータベース１０１は、図６に示すように、留守番電話データＩＤ、発信者番号、録音された時刻、属性、録音データ、着信者番号の各項目からなっている。なお、属性の項目には、録音データが再生済であるか未再生であるかを示すデータが記憶される。
【００４２】
以下、図１０及び図１１に示すフローチャートを参照して本実施例１の処理動作を説明する。
【００４３】
携帯電話装置１から携帯電話装置２へ発呼した場合、着信側の携帯電話装置２には、携帯電話サーバ２００から発信側携帯電話装置１の電話番号が通知される（ステップＳ６−１）。
【００４４】
着信側の携帯電話装置２は、通知された発信者電話番号をメモリ部２３内の着信履歴メモリに記憶する。なお、着信に応答しなかった場合は、メモリ部２３内の不在着信履歴メモリ（図７（ａ）参照）に記憶する。不在着信履歴メモリは、図７（ａ）に示すように、不在着信インデックス、発信者番号、着信時刻の各項目からなっている。
【００４５】
携帯電話サーバ２００は、着信側の携帯電話装置２が一定時間応答しなかった場合または予め自動留守応答に設定されていた場合（ステップＳ６−２でＮｏと判断された場合）には、着呼を留守番電話サーバ１００に転送する（ステップＳ６−３）。このとき、携帯電話サーバ２００は、着信側電話番号（携帯電話装置２）のみならず発信側電話番号(携帯電話装置１）も留守番電話サーバ１００に通知する。
【００４６】
留守番電話サーバ１００は、発信側の携帯電話装置１からの要件（留守録音データ）と着信側電話番号（携帯電話装置２の電話番号）及び発信側電話番号（携帯電話装置１の電話番号）を関連づけて、携帯電話装置２用であるデータベース１０１の留守録音データ蓄積記憶領域１０１ｂに記憶する（ステップＳ６−４）。発信側の携帯電話装置１は、留守録音データの録音を終了すると終話する（ステップＳ６−５）。
【００４７】
留守番電話サーバ１００は、携帯電話サーバ２００を介して、着信側の携帯電話装置２に留守録音データが記憶されたことを通知し（ステップＳ６−６〜ステップＳ６−７）、処理を終了する。
【００４８】
一方、携帯電話装置２は、不在着信履歴メモリ（図７（ａ）参照）に基づいて図４（ａ）に示す不在着信リストを表示し、そのリストの中からユーザが選択することにより、目的の相手（ここでは、携帯電話装置１）にワンタッチで発呼する（ステップＳ７−１）。または、携帯電話装置２は、電話帳データメモリ（図９参照）に基づいて図５（ａ）に示す電話帳データリストを表示し、そのリストの中からユーザが選択することにより、目的の相手（ここでは、携帯電話装置１）にワンタッチで発呼する（ステップＳ７−１）。このとき、現在から所定時間内に不在着信が有ったか否か、有った場合のその時刻、その後に発呼／通話したか否か、などを示す情報も対応付けて表示するようにしてもよい。
【００４９】
上記のようにして発呼先が選択または入力された場合、携帯電話装置２は、図７（ａ）に示す不在着信履歴メモリを参照して、発呼先相手からの不在着信があるかを判断し、ある場合には、そのことを表示してユーザに発呼を継続するか問い合わせる。この問い合わせに対してユーザが継続を選択した場合、携帯電話装置２は、次に、留守番電話サーバ１００に対して発呼先相手から自分宛ての留守録音データが記憶されていないかを問い合わせる（ステップＳ７−２）。このとき、携帯電話装置２から携帯電話サーバ２００に発呼指示を出し、この発呼指示を受け取った携帯電話サーバ２００が留守番電話サーバ１００に対して、発呼先電話番号（着信側番号）及び発呼元電話番号（発信側番号）を送信するようにしてもよい。
【００５０】
留守番電話サーバ１００では、送信されてきた発呼先電話番号及び発呼元電話番号を自装置のデータベース１０１と照合し（ステップＳ７−３）、一致するものが有れば（前記発呼先から発呼元宛ての未再生の留守録音データが記憶されていれば）、そのこと（すなわち、「有」を示すデータ及び該当する留守録音データＩＤ）を携帯電話装置２へ通知する（ステップＳ７−４）。
【００５１】
携帯電話装置２は、通知された内容を表示部１４に表示して、ユーザに再生するか否かを問い合わせる。これに応答してユーザが再生指示を入力すると、携帯電話装置２は留守番電話サーバ１００に留守録音データＩＤを送出し、留守録音データを受信して再生する（ステップＳ７−５）。再生された留守録音データの属性の項目は、再生済を示すデータに書き換えられる。なお、上記説明では、留守番電話サーバ１００にて電話番号の照合を行っているが、留守番電話サーバ１００のデータベース１０１に記憶されている情報を携帯電話装置２へダウンロードし、携帯電話装置２側で電話番号を照合するようにしてもよい。また、該当する留守録音データが複数ある場合、どれを再生するかユーザが選択できるようにしてもよい。
【００５２】
この後、留守録音データの再生内容を聞いたユーザが、用件が完了し直接相手と通話する必要がないと判断した場合には、発呼継続キーを押さずに特定キーを押下することにより、ステップＳ７−７での判断がＮｏとなるので、携帯電話装置２は発呼を中止する。ここで、特定キーとしてオンフックキーを利用することが可能である。
【００５３】
一方、発呼処理を継続する場合は、発呼継続キーを押下する（若しくは、何もキーを押下しない）ことで、ステップＳ７−７の判断がＹｅｓとなるので、携帯電話装置２は、発呼処理を継続する（ステップＳ７−８）。ここで、発呼継続キーとしてオフフックキーを利用することが可能である。
【００５４】
なお、ステップＳ７−３において、該当する留守録音データが登録されていないと判断された場合（Ｎｏと判断された場合）には、携帯電話装置２に留守録音データが記憶されていない旨を通知し（ステップＳ７−６）、ステップＳ７−８の処理に進み、そのまま発呼処理を継続することになる。
【００５５】
ここで、上記ステップＳ７−３の留守番電話サーバ１００での照合処理について具体的に説明する。すなわち、ステップＳ７−３の処理を留守番電話サーバ１００で行う場合、発信側電話番号と着信側電話番号とを入れ替えて照合する必要がある。そのため、留守番電話サーバ１００では、以下のような処理を行っている。
【００５６】
まず第１段階（図１０参照）として、携帯電話装置１（090-9876-5432）から携帯電話装置２（090-1111-2222）に対して電話をかけた際に、携帯電話装置２が応答しなかったため、携帯電話装置１が留守番電話サーバ１００に留守録音データを残した場合、留守番電話サーバ１００の携帯電話装置２用である留守番電話蓄積記憶領域１０１ｂには、図６に示す留守番電話データＩＤ２に示すように、発信者番号（携帯電話装置１：090-9876-5432）と着信者番号（携帯電話装置２：090-1111-2222）が対応付けて記憶される。
【００５７】
次に第２段階（図１１参照）として、携帯電話装置２（090-1111-2222）が携帯電話装置１（090-9876-5432）に発呼する操作を行った場合、携帯電話装置２は留守番電話サーバ１００へ、発信者番号（携帯電話装置２：090-1111-2222）と着信者番号（携帯電話装置１：090-9876-5432）を送信する。
【００５８】
留守番電話サーバ１００は、この送信された発信者番号（携帯電話装置２：090-1111-2222）に対応する留守番電話蓄積記憶領域１０１ｂ（図６に示すように着信者番号として携帯電話装置２の電話番号：090-1111-2222が記憶されているデータ）の中に、上記送信された着信者番号（携帯電話装置１：090-9876-5432）と一致する番号が発信者番号として記憶されている未再生の留守録音データがあるか否かを判断し、その判断結果を携帯電話装置２へ送信する。すなわち、発信側である携帯電話装置２の番号（090-1111-2222）を着信者番号とし着信側である携帯電話装置１の番号（090-9876-5432）を発信者番号とする組み合わせの留守録音データがデータベース１０１に記憶されているか否かを判断する。図６では、発信者番号として携帯電話装置１の電話番号（090-9876-5432）、着信者番号として携帯電話装置２の電話番号（090-1111-2222）となっている未再生の留守録音データ（留守録音データＩＤ２）が記憶されているので、留守番電話サーバ１００は、判断結果「有」を示すデータ及び留守録音データＩＤ２を携帯電話装置２へ送信する。
【００５９】
なお、上記の具体例では留守番電話サーバ１００で照合処理を行っているが、留守録音データ蓄積記憶領域１０１ｂに記憶されているデータを携帯電話装置２へ送信し、携帯電話装置２側で上記の照合処理を行うようにしてもよい。
【００６０】
また、上記の具体例では留守番電話サーバ１００での照合結果データを携帯電話端末２へ送信しているが、照合結果を表す音声を再生して携帯電話装置２のユーザに通知するようにしてもよい。
【実施例２】
【００６１】
本実施例２では、留守番電話サーバ１００から留守録音データを登録した発信側電話番号を着信側の携帯電話装置に通知することにより、発呼時に留守録音データの有無を携帯電話端末側で確認し、留守録音データが存在していれば再生を行うことにより、不要な電話発信を抑止する実施例である。
【００６２】
図３は携帯電話画面例、図４（ｂ）は不在着信リストの表示例、図５（ｂ）は電話帳リストの表示例、図６は留守番電話サーバ１００のデータベース１０１の構成例、図７（ｂ）は不在着信履歴メモリの構成例、図９は電話帳データメモリの構成例、図１２及び図１３は実施例２の処理動作を示すフローチャートである。ただし、図３、図６及び図９は上記実施例１と同じである。
【００６３】
本実施例２も上記実施例１と同様、携帯電話装置は、図３に示すように、不在着信を示すメッセージの表示機能及び留守録音データの存在をアイコン等４１で示す表示機能を備えている。
【００６４】
また、携帯電話装置は、不在着信リストの表示機能（図４（ｂ）参照）を有し、表示したリストの中から選択することにより、目的の相手にワンタッチで発呼する手段を備えている。図４（ｂ）に示すように、本実施例２では、不在着信リストとして着信時刻と発信者の電話番号に加え、留守録音データの有無や、有の場合は再生済／未再生を示す情報も表示される。また、携帯電話装置は、電話帳データリストの表示機能（図５（ｂ）参照）を有し、表示したリストの中から選択することにより、目的の相手にワンタッチで発呼する手段を備えている。図５（ｂ）に示すように、本実施例２では、電話帳データリストとして相手の名前と電話番号に加え、留守録音データの有無や、有の場合は再生済／未再生を示す情報も表示される。
【００６５】
以下、図１２及び図１３に示すフローチャートを参照して本実施例２の処理動作を説明する。
【００６６】
携帯電話装置１から携帯電話装置２へ発呼した場合、着信側の携帯電話装置２には、携帯電話サーバ２００から発信側の携帯電話装置１の電話番号が通知される（ステップＳ８−１）。
【００６７】
着信側の携帯電話装置２は、通知された発信者電話番号をメモリ部２３内の着信履歴メモリに記憶する。なお、着信に応答しなかった場合は、メモリ部２３内の不在着信履歴メモリ（図７（ｂ）参照）に記憶する。不在着信履歴メモリは、図７（ｂ）に示すように、不在着信インデックス、発信者番号、着信時刻、録音データの有無の各項目からなっている。ここで、録音データの有無の項目において、「０」はデータ無しを示しており、０以外の数値（１，２，３等）はそれぞれ留守番電話サーバ１００側で付与された留守録音データＩＤを示している。
【００６８】
携帯電話サーバ２００は、着信側の携帯電話装置２が一定時間応答しなかった場合または予め自動留守応答に設定されていた場合（ステップＳ８−２でＮｏと判断された場合）には、着呼を留守番電話サーバ１００に転送する（ステップＳ８−３）。このとき、携帯電話サーバ２００は、着信側電話番号（携帯電話装置２）のみならず発信側電話番号（携帯電話装置１）も留守番電話サーバ１００に通知する（ステップＳ８−３）。
【００６９】
留守番電話サーバ１００は、発信側の携帯電話装置１からの要件（留守録音データ）と着信側電話番号（携帯電話装置２の電話番号）及び発信側電話番号（携帯電話装置１の電話番号）を関連づけて、携帯電話装置２用であるデータベース１０１の留守録音データ蓄積記憶領域１０１ｂに記憶する（ステップＳ８−４）。発信側の携帯電話装置１は、留守録音データの録音を終了すると終話する（ステップＳ８−５）。
【００７０】
次に、留守番電話サーバ１００は、着信側の携帯電話装置２に発信側の携帯電話装置１より留守録音データの録音があったことを示す情報（すなわち、発信側電話番号、録音時刻、及び留守録音データＩＤ）を通知する（ステップＳ８−６）。
【００７１】
携帯電話装置２では、通知されてきた発信側電話番号及び録音時刻に基づいて、留守録音データＩＤをメモリ部２３内の不在着信履歴メモリ（図７（ｂ）参照）に統合して格納する（ステップＳ８−７）。このとき、属性の項目には未再生を示すデータが記憶される。なお、携帯電話装置２の電源が切られていたり圏外であった場合には、留守番電話サーバ１００は、携帯電話装置２が網に接続された際に、再度、携帯電話装置１からの留守録音データの録音があったことを示す情報を通知する。
【００７２】
一方、携帯電話装置２は、不在着信履歴メモリ（図７（ｂ）参照）に基づいて図４（ｂ）に示す不在着信リストを表示し、そのリストの中からユーザが選択することにより、目的の相手（ここでは、携帯電話装置１）にワンタッチで発呼する（ステップＳ９−１）。このとき、不在着信リストには、図４（ｂ）に示すように、留守録音データの有無や再生済み／未再生を示す情報が対応付けて表示される。または、携帯電話装置２は、電話帳データメモリ（図９参照）に基づいて図５（ｂ）に示す電話帳データリストを表示し、そのリストの中からユーザが選択することにより、目的の相手（ここでは、携帯電話装置１）にワンタッチで発呼する（ステップＳ９−１）。このとき、電話帳リストには、不在着信履歴メモリ（図７（ｂ）参照）に基づいて（電話番号をキーとして録音データの有無を参照し）図５（ｂ）に示すように、留守録音データの有無や再生済み／未再生を示す情報が対応付けて表示される。この場合、現在から所定時間内に不在着信が有ったか否か、有った場合のその時刻、その後に発呼／通話したか否か、などを示す情報も対応付けて表示するようにしてもよい。
【００７３】
上記のようにして発呼先が選択または入力された場合、携帯電話装置２は、図７（ｂ）に示す不在着信履歴メモリを参照し、発呼先相手からの不在着信があるか確認する（ステップＳ９−２）。
【００７４】
その確認の結果、不在着信がある場合には、そのことを表示してユーザに発呼を継続するか問い合わせ、この問い合わせに対してユーザが継続を選択した場合には、携帯電話装置２は、次に、発呼先相手からの留守録音データが留守番電話サーバ１００に記憶されていないかを、メモリ部２３内の不在着信履歴メモリの録音データの有無の項目の内容を見て判断する（ステップＳ９−３）。その結果、留守録音データが留守番電話サーバ１００に記憶されていれば（ステップＳ９−３でＹｅｓと判断されれば）、ユーザにその留守録音データを再生するか否かを問い合わせ、再生の指示が入力されると、携帯電話装置２は、留守番電話サーバ１００に接続して、登録されている留守録音データＩＤを送出する（ステップＳ９−４）。
【００７５】
留守番電話サーバ１００は、受信した留守録音データＩＤに対応する留守録音データを再生する（ステップＳ９−５）。
【００７６】
この後、留守録音データの再生内容を聞いたユーザが、用件が完了し直接相手と通話する必要がないと判断した場合には、発呼継続キーを押さずに特定キーを押下することにより、ステップＳ９−６の判断がＮｏとなるので、携帯電話装置２は発呼を中止する。ここで、特定キーとしてオンフックキーを利用することが可能である。
【００７７】
一方、発呼処理を継続する場合は、発呼継続キーを押下する（若しくは、何もキーを押下しない）ことで、ステップＳ９−６の判断がＹｅｓとなるので、携帯電話装置２は、発呼処理を継続する（ステップＳ９−７）。ここで、発呼継続キーとしてオフフックキーを利用することが可能である。
【００７８】
なお、ステップＳ９−３において、留守番電話サーバ１００に留守録音データが記憶されていないと判断した場合（Ｎｏと判断した場合）には、携帯電話装置２は、留守録音データが記憶されていない旨を通知（表示）し（ステップＳ９−８）、ステップＳ９−７の処理に進んでそのまま発呼処理を継続することになる。
【実施例３】
【００７９】
本実施例３では、携帯電話装置側で留守録音データを記憶し、発呼時にその相手からの留守録音データの有無を自装置内で確認し、データが存在していれば自装置内で記憶している留守録音データの再生を行うことにより、不要な電話発信を抑止する実施例である。
【００８０】
図３は携帯電話画面例、図４（ｂ）は不在着信リストの表示例、図５（ｂ）は電話帳リストの表示例、図７（ａ）は不在着信履歴メモリの構成例、図８は留守番電話データメモリの構成例、図９は電話帳データメモリの構成例、図１４及び図１５は実施例３の処理動作を示すフローチャートである。ただし、図３、図４（ｂ）、図５（ｂ）、図７（ａ）は上記実施例１または実施例２と同じである。
【００８１】
本実施例３では、着信側である携帯電話装置は、自装置のメモリ部２３内に図８に示す留守番電話データメモリを持ち、何からの理由により着信に応答できなかった場合には、この留守番電話データメモリに相手の留守録音データを録音する機能を有している。すなわち、留守番電話データメモリは、留守番電話データＩＤ、発信者番号、時刻、属性、録音データの各項目からなっている。属性の項目には、録音データの再生の有無が登録される。
【００８２】
携帯電話装置は、図３に示すように、不在着信を示すメッセージの表示機能及び留守録音データの存在をアイコン等４１で示す表示機能を備えている。
【００８３】
また、携帯電話装置は、不在着信リストの表示機能（図４（ｂ）参照）を有し、表示したリストの中から選択することにより、目的の相手にワンタッチで発呼する手段を備えている。図４（ｂ）に示すように、本実施例３では、不在着信リストとして着信時刻と発信者の電話番号に加え、留守録音データの有無や、有りの場合は再生済／未再生を示す情報も表示される。
【００８４】
また、携帯電話装置は、電話帳データリストの表示機能（図５（ｂ）参照）を有し、表示したリストの中から選択することにより、目的の相手にワンタッチで発呼する手段を備えている。図５（ｂ）に示すように、本実施例３では、電話帳データリストとして相手の名前と電話番号に加え、留守録音データの有無や、有りの場合は再生済／未再生を示す情報も表示される。
【００８５】
以下、図１４及び図１５に示すフローチャートを参照して本実施例３の処理動作を説明する。
【００８６】
携帯電話装置１から携帯電話装置２へ発呼した場合、着信側の携帯電話装置２には、携帯電話サーバ２００から発信側の携帯電話装置１の電話番号が通知される（ステップＳ１０−１）。
【００８７】
着信側の携帯電話装置２は、通知された発信者電話番号をメモリ部２３内の着信履歴メモリに記憶する。一方、一定時間応答しなかった場合または予め自動留守応答に設定されていた場合（ステップＳ１０−２でＮｏと判断された場合）には、通知されてきた発信者電話番号をメモリ部２３内の不在着信履歴メモリ（図７（ａ）参照）に記憶する。
【００８８】
次に、携帯電話装置２は、携帯電話装置１から留守録音データが送られてきた場合には、この留守録音データをメモリ部２３内の留守番電話データメモリに記憶する（ステップＳ１０−３〜ステップＳ１０−４）。すなわち、受信した留守録音データと、発信側番号（携帯電話装置１の電話番号）及び留守番電話データＩＤとを関連づけて記憶する（図８参照）。
【００８９】
一方、携帯電話装置２は、不在着信履歴メモリ（図７（ａ）参照）に基づいて図４（ｂ）に示す不在着信リストを表示し、そのリストの中からユーザが選択することにより、目的の相手（ここでは、携帯電話装置１）にワンタッチで発呼する（ステップＳ１１−１）。このとき、不在着信リストには、留守番電話データメモリ（図８参照）に基づいて（発信者番号と時刻をキーとして録音データの有無を参照し）、図４（ｂ）に示すように、留守録音データの有無や再生済み／未再生を示す情報が対応付けて表示される。または、携帯電話装置２は、電話帳データメモリ（図９参照）に基づいて図５（ｂ）に示す電話帳データリストを表示し、そのリストの中からユーザが選択することにより、目的の相手（ここでは、携帯電話装置１）にワンタッチで発呼する（ステップＳ１１−１）。このとき、電話帳リストには、留守番電話データメモリ（図８参照）に基づいて（電話番号をキーとして録音データの有無を参照し）、図５（ｂ）に示すように、留守録音データの有無や再生済み／未再生を示す情報が対応付けて表示される。この場合、現在から所定時間内に不在着信が有ったか否か、有った場合のその時刻、その後に発呼／通話したか否か、などを示す情報も対応付けて表示するようにしてもよい。
【００９０】
上記のようにして発呼先が選択または入力された場合、携帯電話装置２は、図７（ｂ）に示す不在着信履歴メモリを参照して、発呼先相手からの不在着信があるか確認する（ステップＳ１１−２）。その結果、不在着信がある場合には、そのことを表示してユーザに発呼を継続するか問い合わせる。
【００９１】
この問い合わせに対してユーザが継続を選択した場合、携帯電話装置２は、次に、図８に示す留守番電話データメモリを参照して、発呼先相手からの未再生の留守録音データが自装置のメモリに記憶されていないか判断する（ステップＳ１１−３）。その結果、該当する留守録音データがメモリに記憶されていれば（ステップＳ１１−３でＹｅｓと判断されれば）、ユーザにその留守録音データを再生するか否かを問い合わせ、再生の指示が入力されると、留守番電話データメモリに記憶されている該当する留守録音データを再生する（ステップＳ１１−４）。
【００９２】
この後、留守録音データの再生内容を聞いたユーザが、用件が完了し直接相手と通話する必要がないと判断した場合には、発呼継続キーを押さずに特定キーを押下することにより、ステップＳ１１−５の判断がＮｏとなるので、携帯電話装置２は発呼を中止する。ここで、特定キーとしてオンフックキーを利用することが可能である。
【００９３】
一方、発呼処理を継続する場合は、発呼継続キーを押下する（若しくは、何もキーを押下しない）ことで、ステップＳ１１−５の判断がＹｅｓとなるので、携帯電話装置２は、発呼処理を継続する（ステップＳ１１−６）。ここで、発呼継続キーとしてオフフックキーを利用することが可能である。
【００９４】
なお、ステップＳ１１−３において、留守番電話データメモリに留守録音データが記憶されていないと判断した場合（Ｎｏと判断した場合）には、携帯電話装置２は、留守録音データが記憶されていない旨を表示し（ステップＳ１１−７）、ステップＳ１１−６の処理に進んでそのまま発呼処理を継続することになる。
【００９５】
なお、上記実施形態では、本発明の電話端末装置として携帯電話装置を用いているが、固定電話装置にも適用可能であることは当然である。
【００９６】
また、留守番電話サーバ１００と携帯電話サーバ２００とを単一の情報処理装置によって運用するようにしてもよい。
【図面の簡単な説明】
【００９７】
【図１】本発明の電話端末装置を携帯電話装置に適用した場合の留守番電話ネットワークシステムの構成図である。
【図２】本発明の電話端末装置である携帯電話装置の機能ブロック図である。
【図３】携帯電話画面例を示す説明図である。
【図４】（ａ）は実施例１に対応した不在着信リストの表示例、（ｂ）は実施例２及び実施例３に対応した不在着信リストの表示例を示す説明図である。
【図５】（ａ）は実施例１に対応した電話帳リストの表示例、（ｂ）は実施例２及び実施例３に対応した電話帳リストの表示例を示す説明図である。
【図６】留守番電話サーバのデータベースの構成例を示す説明図である。
【図７】（ａ）は実施例１及び実施例３に対応した不在着信履歴メモリの構成例、（ｂ）は実施例２に対応した不在着信履歴メモリの構成例を示す説明図である。
【図８】実施例３に対応した留守番電話データメモリの構成例を示す説明図である。
【図９】電話帳データメモリの構成例を示す説明図である。
【図１０】実施例１の処理動作を示すフローチャートである。
【図１１】実施例１の処理動作を示すフローチャートである。
【図１２】実施例２の処理動作を示すフローチャートである。
【図１３】実施例２の処理動作を示すフローチャートである。
【図１４】実施例３の処理動作を示すフローチャートである。
【図１５】実施例３の処理動作を示すフローチャートである。
【符号の説明】
【００９８】
１，２  携帯電話装置
１１  制御部
１２  アンテナ
１３  送受信部
１４  表示部
１５  タッチパネル
１６  タッチパネルコントローラ
１７  マイク
１８  レシーバ
１９  スピーカ
２０  音声信号処理部
２１  キー入力部
２２  キーコントローラ
２３  メモリ部
２５  カメラ部
２６  補助メモリ
１００  留守番電話サーバ
２００  携帯電話サーバ
Ｌ１  通信回線
Ｎ  通信ネットワーク
【図１】
2007181038.tif 000003
【図２】
2007181038.tif 000004
【図３】
2007181038.tif 000005
【図４】
2007181038.tif 000006
【図５】
2007181038.tif 000007
【図６】
2007181038.tif 000008
【図７】
2007181038.tif 000009
【図８】
2007181038.tif 000010
【図９】
2007181038.tif 000011
【図１０】
2007181038.tif 000012
【図１１】
2007181038.tif 000013
【図１２】
2007181038.tif 000014
【図１３】
2007181038.tif 000015
【図１４】
2007181038.tif 000016
【図１５】
2007181038.tif 000017